【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置であって、
前記第１の指示具が有する検出機能によって得られる接触検知信号に基づいて、該第１の指示具の先端部と前記入力面との接触の有無を判定する第１の判定手段と、
前記光強度分布または該光強度分布の時間変化に基づいて前記第１または第２の指示具の先端部と前記入力面との接触の有無を判定する第２の判定手段と、
前記第１の判定手段による第１の判定結果を採用する第１のモードと、前記第２の判定手段による第２の判定結果を採用する第２のモードとを選択的に切り替える切り替え手段とを有し、
前記切り替え手段は、前記第１のモードのときに前記第１の判定結果と前記第２の判定結果との間に所定の条件が成立するか否かを判定し、前記所定の条件が成立する場合、前記第１のモードから前記第２のモードに切り替えを行うことを特徴とする座標入力装置。
【請求項２】
前記所定の条件とは、前記第１の判定結果が接触無しの判定でかつ前記第２の判定結果が接触有りの判定である状態が、所定の期間連続する場合または検出座標において所定の移動距離連続する場合であるという条件であることを特徴とする請求項１記載の座標入力装置。
【請求項３】
前記第１のモードから前記第２のモードへの切り替え後、前記入力面上の位置の指示が連続して行われる期間中は、前記第２のモードが保持されることを特徴とする請求項１記載の座標入力装置。
【請求項４】
前記第１のモードから前記第２のモードへの切り替えが行われる際に、前記第１の判定結果が接触無しの判定でかつ前記第２の判定結果が接触有りの判定である状態が連続する所定の期間または所定の移動距離の間において特定された前記入力面上の指示位置を有効にし、該有効にされた指示位置を前記第１のモードから前記第２のモードへの切り替え後に特定された前記入力面上の指示位置と関連付ける手段を有することを特徴とする請求項２記載の座標入力装置。
【請求項５】
前記切り替え手段は、前記第２のモードのときに、前記指示具による前記入力面上の指示位置の座標が特定不可能な状態に操作された場合、前記第２のモードを前記第１のモードへ切り替えることを特徴とする請求項１記載の座標入力装置。
【請求項６】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置であって、
前記第１の指示具が有する検出機能によって得られる接触検知信号に基づいて、前記第１の指示具の先端部と前記入力面との接触の有無を判定する第１の判定手段と、
前記光強度分布または該光強度分布の時間変化に基づいて前記第１または第２の指示具の先端部と前記入力面との接触の有無を判定する第２の判定手段と、
前記第１の判定手段による第１の判定結果を採用する第１のモードと、前記第２の判定手段による第２の判定結果を採用する第２のモードとを選択的に切り替える切り替え手段とを有し、
前記切り替え手段は、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とする座標入力装置。
【請求項７】
前記第１の切り替え条件は、前記第１のモードのときに前記第１の判定結果が接触無しの判定で、かつ前記第２の判定結果が接触有りの判定である状態が所定の期間連続する場合または検出座標において所定の移動距離連続する場合であるという条件であることを特徴とする請求項６記載の座標入力装置。
【請求項８】
前記第２の切り替え条件とは、前記第２のモードのときに、前記第１の判定結果が接触有りを示すという条件であることを特徴とする請求項６記載の座標入力装置。
【請求項９】
前記第１のモードから前記第２のモードへの切り替えが行われる際に、前記第２の判定結果が接触有りの判定である状態が連続する所定の期間または所定の移動距離の間において特定された前記入力面上の指示位置を有効にし、該有効にされた指示位置を前記第１のモードから前記第２のモードへの切り替え後に特定された前記入力面上の指示位置と関連付ける手段を有することを特徴とする請求項７記載の座標入力装置。
【請求項１０】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置の座標入力方法であって、
前記第１の指示具が有する検出機能によって得られる接触検知信号に基づいて、該第１の指示具の先端部と前記入力面との接触の有無を判定する第１の判定工程と、
前記光強度分布または該光強度分布の時間変化に基づいて前記第１または第２の指示具の先端部と前記入力面との接触の有無を判定する第２の判定工程と、
前記第１の判定工程での第１の判定結果を採用する第１のモードと、前記第２の判定工程での第２の判定結果を採用する第２のモードとを選択的に切り替える切り替え工程とを有し、
前記切り替え工程では、前記第１のモードのときに前記第１の判定結果と前記第２の判定結果との間に所定の条件が成立するか否かを判定し、前記所定の条件が成立する場合、前記第１のモードから前記第２のモードへ切り替えを行うことを特徴とする座標入力方法。
【請求項１１】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置の座標入力方法であって、
前記第１の指示具が有する検出機能によって得られる接触検知信号に基づいて、前記第１の指示具の先端部と前記入力面との接触の有無を判定する第１の判定工程と、
前記光強度分布または該光強度分布の時間変化に基づいて前記第１または第２の指示具の先端部と前記入力面との接触の有無を判定する第２の判定工程と、
前記第１の判定工程での第１の判定結果を採用する第１のモードと、前記第２の判定工程での第２の判定結果を採用する第２のモードとを選択的に切り替える切り替え工程とを有し、
前記切り替え工程では、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とする座標入力方法。
【請求項１２】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置を制御するためのプログラムであって、
前記第１の指示具が有する検出機能によって得られる接触検知信号に基づいて、該第１の指示具の先端部と前記入力面との接触の有無を判定する第１の判定ステップと、
前記光強度分布または該光強度分布の時間変化に基づいて前記第１または第２の指示具の先端部と前記入力面との接触の有無を判定する第２の判定ステップと、
前記第１の判定ステップでの第１の判定結果を採用する第１のモードと、前記第２の判定ステップでの第２の判定結果を採用する第２のモードとを選択的に切り替える切り替えステップとをコンピュータにより実行させ、
前記切り替えステップでは、前記第１のモードのときに前記第１の判定結果と前記第２の判定結果との間に所定の条件が成立するか否かを判定し、前記所定の条件が成立する場合、前記第１のモードから前記第２のモードへ切り替えを行うことを特徴とするプログラム。
【請求項１３】
入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置を制御するためのプログラムであって、
前記第１の指示具が有する検出機能によって得られる接触検知信号に基づいて、前記第１の指示具の先端部と前記入力面との接触の有無を判定する第１の判定ステップと、
前記光強度分布または該光強度分布の時間変化に基づいて前記第１または第２の指示具の先端部と前記入力面との接触の有無を判定する第２の判定ステップと、
前記第１の判定ステップでの第１の判定結果を採用する第１のモードと、前記第２の判定ステップでの第２の判定結果を採用する第２のモードとを選択的に切り替える切り替えステップとをコンピュータにより実行させ、
前記切り替えステップでは、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とするプログラム。
【請求項１４】
請求項１２または１３記載のプログラムをコンピュータにより読み取り可能に格納したことを特徴とする記憶媒体。
【手続補正２】
【補正対象書類名】明細書
【補正対象項目名】００１１
【補正方法】変更
【補正の内容】
【００１１】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置であって、前記第１の指示具が有する検出機能によって得られる接触検知信号に基づいて、該第１の指示具の先端部と前記入力面との接触の有無を判定する第１の判定手段と、前記光強度分布または該光強度分布の時間変化に基づいて前記第１または第２の指示具の先端部と前記入力面との接触の有無を判定する第２の判定手段と、前記第１の判定手段による第１の判定結果を採用する第１のモードと、前記第２の判定手段による第２の判定結果を採用する第２のモードとを選択的に切り替える切り替え手段とを有し、前記切り替え手段は、前記第１のモードのときに前記第１の判定結果と前記第２の判定結果との間に所定の条件が成立するか否かを判定し、前記所定の条件が成立する場合、前記第１のモードから前記第２のモードに切り替えを行うことを特徴とする座標入力装置を提供する。
【手続補正３】
【補正対象書類名】明細書
【補正対象項目名】００１２
【補正方法】変更
【補正の内容】
【００１２】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置であって、前記第１の指示具が有する検出機能によって得られる接触検知信号に基づいて、前記第１の指示具の先端部と前記入力面との接触の有無を判定する第１の判定手段と、前記光強度分布または該光強度分布の時間変化に基づいて前記第１または第２の指示具の先端部と前記入力面との接触の有無を判定する第２の判定手段と、前記第１の判定手段による第１の判定結果を採用する第１のモードと、前記第２の判定手段による第２の判定結果を採用する第２のモードとを選択的に切り替える切り替え手段とを有し、前記切り替え手段は、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とする座標入力装置を提供する。
【手続補正４】
【補正対象書類名】明細書
【補正対象項目名】００１３
【補正方法】変更
【補正の内容】
【００１３】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置の座標入力方法であって、前記第１の指示具が有する検出機能によって得られる接触検知信号に基づいて、該第１の指示具の先端部と前記入力面との接触の有無を判定する第１の判定工程と、前記光強度分布または該光強度分布の時間変化に基づいて前記第１または第２の指示具の先端部と前記入力面との接触の有無を判定する第２の判定工程と、前記第１の判定工程での第１の判定結果を採用する第１のモードと、前記第２の判定工程での第２の判定結果を採用する第２のモードとを選択的に切り替える切り替え工程とを有し、前記切り替え工程では、前記第１のモードのときに前記第１の判定結果と前記第２の判定結果との間に所定の条件が成立するか否かを判定し、前記所定の条件が成立する場合、前記第１のモードから前記第２のモードへ切り替えを行うことを特徴とする座標入力方法を提供する。
【手続補正５】
【補正対象書類名】明細書
【補正対象項目名】００１４
【補正方法】変更
【補正の内容】
【００１４】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置の座標入力方法であって、前記第１の指示具が有する検出機能によって得られる接触検知信号に基づいて、前記第１の指示具の先端部と前記入力面との接触の有無を判定する第１の判定工程と、前記光強度分布または該光強度分布の時間変化に基づいて前記第１または第２の指示具の先端部と前記入力面との接触の有無を判定する第２の判定工程と、前記第１の判定工程での第１の判定結果を採用する第１のモードと、前記第２の判定工程での第２の判定結果を採用する第２のモードとを選択的に切り替える切り替え工程とを有し、前記切り替え工程では、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とする座標入力方法を提供する。
【手続補正６】
【補正対象書類名】明細書
【補正対象項目名】００１５
【補正方法】変更
【補正の内容】
【００１５】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置を制御するためのプログラムであって、前記第１の指示具が有する検出機能によって得られる接触検知信号に基づいて、該第１の指示具の先端部と前記入力面との接触の有無を判定する第１の判定ステップと、前記光強度分布または該光強度分布の時間変化に基づいて前記第１または第２の指示具の先端部と前記入力面との接触の有無を判定する第２の判定ステップと、前記第１の判定ステップでの第１の判定結果を採用する第１のモードと、前記第２の判定ステップでの第２の判定結果を採用する第２のモードとを選択的に切り替える切り替えステップとをコンピュータにより実行させ、前記切り替えステップでは、前記第１のモードのときに前記第１の判定結果と前記第２の判定結果との間に所定の条件が成立するか否かを判定し、前記所定の条件が成立する場合、前記第１のモードから前記第２のモードへ切り替えを行うことを特徴とするプログラムを提供する。
【手続補正７】
【補正対象書類名】明細書
【補正対象項目名】００１６
【補正方法】変更
【補正の内容】
【００１６】
本発明は、上記目的を達成するため、入力面と略平行に広がる層状の光通過領域が形成されている入力部と、前記入力面上の所望の位置を指示するための指示具が前記光通過領域内に挿入しながら操作された際の前記光通過領域における光強度分布を検出する検出手段と、前記検出された光強度分布に基づいて前記光通過領域における前記指示具によって遮光された遮光部分の位置を前記指示具による前記入力面上の指示位置として特定する特定手段とを備え、前記指示具として、先端部と前記入力面との接触の有無を検出する機能を有する第１の指示具および先端部と前記入力面との接触の有無を検出する機能を有しない第２の指示具を使用することが可能な座標入力装置を制御するためのプログラムであって、前記第１の指示具が有する検出機能によって得られる接触検知信号に基づいて、前記第１の指示具の先端部と前記入力面との接触の有無を判定する第１の判定ステップと、  前記光強度分布または該光強度分布の時間変化に基づいて前記第１または第２の指示具の先端部と前記入力面との接触の有無を判定する第２の判定ステップと、前記第１の判定ステップでの第１の判定結果を採用する第１のモードと、前記第２の判定ステップでの第２の判定結果を採用する第２のモードとを選択的に切り替える切り替えステップとをコンピュータにより実行させ、前記切り替えステップでは、前記第１の判定結果と前記第２の判定結果との間に第１の切り替え条件または第２の切り替え条件が成立するか否かを判定し、前記第１の切り替え条件が成立するとき、前記第１のモードから前記第２のモードへの切り替えを行い、前記第２の切り替え条件が成立するとき、前記第２のモードから前記第１のモードへの切り替えを行うことを特徴とするプログラムを提供する。
【手続補正８】
【補正対象書類名】明細書
【補正対象項目名】００１７
【補正方法】変更
【補正の内容】
【００１７】
本発明は、上記目的を達成するため、上記のいずれかのプログラムをコンピュータにより読み取り可能に格納したことを特徴とする記憶媒体を提供する。